(57)【要約】【課題】ロール紙の節約および個人のプライバシー保護を図ることができるＰＯＳ端末を提供する。【解決手段】販売物品に係る情報の入力を行う入力部３と、販売時点における会計情報をレシートに印刷する印刷部５と、動作全般を統括管理する制御部２と、を備え、制御部２は、印刷モードが、会計情報を２次元コードに変換した２次元コードを印刷する２次元コード印刷モードか、会計情報をテキストで印刷する通常モードかを判定する印刷モード判定部２１を備え、印刷部５は、印刷モード判定部２１の判定に基づいて、会計情報の印刷を２次元コードのみ、または、テキストのみで行う。【選択図】図１
2009169570.tif 000002
【特許請求の範囲】
【請求項１】
販売物品に係る情報の入力を行う入力部と、販売時点における会計情報をレシートに印刷する印刷部と、動作全般を統括管理する制御部と、を備えるＰＯＳ端末であって、
前記制御部は、
印刷モードが、会計情報を２次元コードに変換した２次元コードを印刷する２次元コード印刷モードか、前記会計情報をテキストで印刷する通常モードかを判定する印刷モード判定部を備え、
前記印刷部は、前記印刷モード判定部の判定に基づいて、前記会計情報の印刷を２次元コードのみ、または、テキストのみで行うことを特徴とするＰＯＳ端末。
【請求項２】
前記印刷モードを入力する印刷モード選択キーを備えることを特徴とする請求項１に記載のＰＯＳ端末。
【請求項３】
さらに、前記レシートを目視で識別するためのレシート識別情報のテキスト印刷を行うか否かを判定する識別情報印刷設定判定部を備え、
前記２次元コード印刷モードにおいて、前記２次元コードの印刷に加えて、前記レシート識別情報をテキスト印刷することを特徴とする請求項１または２に記載のＰＯＳ端末。
【請求項４】
前記レシート識別情報は、少なくとも購入場所または購入日時のうちのいずれか一つを含むことを特徴とする請求項３に記載のＰＯＳ端末。
【請求項５】
前記レシート識別情報を印刷するか否かを設定する識別情報印刷キーを備えることを特徴とする請求項３または４に記載のＰＯＳ端末。
【請求項６】
販売物品に係る情報の入力を行う入力部と、販売時点における会計情報をレシートに印刷する印刷部と、動作全般を統括管理する制御部と、を備えるＰＯＳ端末の印刷制御方法であって、
設定された印刷モードの検出を行い、印刷モードが２次元コード印刷モードに設定されているか否かの判定を行うステップと、
前記印刷モードが２次元コード印刷モードに設定されている場合、前記会計情報を２次元コードに変換し、該２次元コードの印刷を行うステップと、
前記印刷モードが通常モードに設定されている場合、通常のテキストで前記会計情報の印刷を行うステップと、
を含むことを特徴とするＰＯＳ端末の印刷制御方法。
【発明の詳細な説明】
【技術分野】
【０００１】
本発明は、会計情報をレシートに印刷するＰＯＳ端末およびＰＯＳ端末の印刷制御方法に関するものである。
【背景技術】
【０００２】
小売店舗等において普及しているＰＯＳ（Point of sale）レジスタ等のＰＯＳ端末では、顧客の購入物品の精算をする際に、会計情報などを印刷したレシートを発行し、顧客に渡している。このレシートに対して、例えば、家計簿ソフトへの会計情報のデータ取り込みを容易にすることなどを目的として、テキスト（文字や数字）による会計情報の印刷とともに会計情報を変換した２次元コード（ＱＲコード（登録商標）など）を印刷し、顧客が携帯電話等でこの２次元コードを読みとって利用する各種データ処理システムまたはデータ処理方法が提案されている（例えば、特許文献１、特許文献２、特許文献３参照）。
【０００３】
【特許文献１】特開２００６‐３１８０８５号公報
【特許文献２】特開２００６‐３５０９３９号公報
【特許文献３】特開２００７‐３４９１６号公報
【発明の開示】
【発明が解決しようとする課題】
【０００４】
ところで、ＰＯＳ端末ではレシート用の印刷用紙としてロール紙（連続紙）を用いている。このロール紙の節約は、小売店舗等にとって経費低減のための課題である。ロール紙の節約のためには、できる限り発行するレシートを短くすることが望ましい。
【０００５】
しかしながら、前記従来のデータ処理システムまたはデータ処理方法では、図６に示す印刷例（２次元コードが付加されたレシート）のように、発行されるレシートの長さは２次元コードを付加しているので、通常のレシートよりもさらに長いものとなり、用紙の消費量が増加して経費が嵩んでしまう。
【０００６】
また、テキスト（文字や数字）による会計情報が印刷された従来のレシートは、購入品目や金額などの会計情報を容易に視認することができるので、発行されたレシートを他人に見られた場合、個人の生活情報が漏洩し、プライバシーが冒されるおそれがある。
【０００７】
本発明の目的は上記課題を解消することに係り、ロール紙の節約および個人のプライバシー保護を図ることができるＰＯＳ端末を提供することである。
【課題を解決するための手段】
【０００８】
上記目的を達成するために、本発明に係るＰＯＳ端末は、販売物品に係る情報の入力を行う入力部と、販売時点における会計情報をレシートに印刷する印刷部と、動作全般を統括管理する制御部と、を備えるＰＯＳ端末であって、
前記制御部は、
印刷モードが、会計情報を２次元コードに変換した２次元コードを印刷する２次元コード印刷モードか、前記会計情報をテキストで印刷する通常モードかを判定する印刷モード判定部を備え、
前記印刷部は、前記印刷モード判定部の判定に基づいて、前記会計情報の印刷を２次元コードのみ、または、テキストのみで行うことを特徴とする。
上記構成により、会計情報の２次元コードのみが印刷され、発行するレシートを短くできるので、ロール紙の使用量を削減できる。また、レシートにテキストによる会計情報が印刷されないので、個人のプライバシーを保護することもできる。
【０００９】
また、好ましくは、前記印刷モードを入力する印刷モード選択キーを備えることを特徴とする。
これにより、顧客の希望に応じてレジの担当者が、印刷モード選択キーを押すなどして印刷モードを選択し設定することができる。
【００１０】
また、好ましくは、さらに、前記レシートを目視で識別するためのレシート識別情報のテキスト印刷を行うか否かを判定する識別情報印刷設定判定部を備え、
前記２次元コード印刷モードにおいて、前記２次元コードの印刷に加えて、前記レシート識別情報をテキスト印刷することを特徴とする。
これにより、個人のプライバシーを保護しつつも、レシート識別情報により目視でレシートを識別でき、会計情報のテキストが一切印刷されず、発行するレシートをできるだけ短くできるので、ロール紙の使用量を削減できる。
【００１１】
さらに、好ましくは、前記レシート識別情報は、少なくとも購入場所または購入日時のうちのいずれか一つを含むことを特徴とする。
これにより、購入場所や購入日時等により目視でレシートを識別できる。
【００１２】
またさらに、好ましくは、前記レシート識別情報を印刷するか否かを設定する識別情報印刷キーを備えることを特徴とする。
これにより、ＰＯＳ端末の識別情報印刷キーをオン／オフしてレシート識別情報を印刷するか否かを設定することができる。
【００１３】
また、本発明に係るＰＯＳ端末の印刷制御方法は、販売物品に係る情報の入力を行う入力部と、販売時点における会計情報をレシートに印刷する印刷部と、動作全般を統括管理する制御部と、を備えるＰＯＳ端末の印刷制御方法であって、
設定された印刷モードの検出を行い、印刷モードが２次元コード印刷モードに設定されているか否かの判定を行うステップと、
前記印刷モードが２次元コード印刷モードに設定されている場合、前記会計情報を２次元コードに変換し、該２次元コードの印刷を行うステップと、
前記印刷モードが通常モードに設定されている場合、通常のテキストで前記会計情報の印刷を行うステップと、
を含むことを特徴とする。
上記ＰＯＳ端末の印刷制御方法により、会計情報の２次元コードのみが印刷され、発行するレシートを短くできるので、ロール紙の使用量を削減できる。また、レシートにテキストによる会計情報が印刷されないので、個人のプライバシーを保護することもできる。
【発明を実施するための最良の形態】
【００１４】
以下、本発明に係るＰＯＳ端末の実施の形態を図面を用いて詳細に説明する。図１は、本発明の実施の形態に係るＰＯＳ端末の構成を示すブロック図である。
【００１５】
図１に示すように、本実施の形態に係るＰＯＳ端末１は、主に、制御部２、入力部３、表示部４、印刷部５によって構成される。
【００１６】
ＰＯＳ端末１は、物品等の販売時における情報の入力、表示およびレシートの発行などを行うものである。制御部２は、ＰＯＳ端末１の動作全般を統括管理を行う部分であり、印刷モード判定部２１と識別情報印刷設定判定部２２とを含む。
【００１７】
印刷モード判定部２１は、印刷モード選択キー３１による印刷モードの入力を基に、会計情報のレシート印刷をテキストで行う（通常モード）か、２次元コードで行う（２次元コード印刷モード）かの判定を行う。
【００１８】
識別情報印刷設定判定部２２は、会計情報を２次元コードで印刷する場合において、レシートを目視で識別するために購入場所（店舗名等）や購入日時などの簡単なレシート識別情報のテキスト印刷を行うか否かを判定する。
【００１９】
入力部３は、販売物品に係る品目や価格等の情報を入力するキー，タッチパネル，バーコードリーダ等であり、印刷モード選択キー３１と識別情報印刷キー３２とを含む。
【００２０】
表示部４は、販売物品に係る品目や価格等の情報などを表示する。印刷部５は、販売時点における会計情報、即ち、購入品目や購入金額などの情報をテキストまたは２次元コードで印刷する。なお、印刷部５には、印刷に付随するロール紙の搬送を行う機構部等が含まれる。
【００２１】
次に、上記構成のＰＯＳ端末におけるレシート発行動作について説明する。図２は、本発明の実施の形態におけるＰＯＳ端末のレシート発行手順を示すフローチャートである。
【００２２】
はじめに、ＰＯＳ端末１への販売時点の情報の入力完了（例えば、レジにて顧客の購入物品の精算をする処理など）に基づいて、レシートの印刷が開始されると（ステップＳ１）、設定された印刷モードの検出を行い、印刷モードが２次元コード印刷モードに設定されているか否かの判定を行う（ステップＳ２）。
【００２３】
印刷モードは、会計情報を通常のテキストでレシートを印刷する通常モードと、会計情報を２次元コードに変換して、この２次元コードを印刷する２次元コード印刷モードの２種類であり、顧客の希望に応じてレジの担当者が、入力部５に設けられたキーやタッチパネル等で、印刷モード選択キー３１を押すなどして印刷モードを選択し設定する。
【００２４】
印刷モードが２次元コード印刷モードに設定されている場合（ステップＳ２のＹｅｓ）、制御部２は、当該精算に係る会計情報を２次元コードに変換する（ステップＳ３）。
【００２５】
次に、レシートを目視で識別するために購入場所（店名等）や購入日時などの簡単なレシート識別情報の印刷設定がなされているか否かの判定を行う（ステップＳ４）。
【００２６】
レシート識別情報の印刷設定は、例えば、ＰＯＳ端末１の識別情報印刷キー３２をオン／オフするなどして印刷するか否かを設定する。なお、このレシート識別情報の印刷設定は、必ずしも、レシートを１枚発行する度に顧客に応じて設定し直す必要はない。
【００２７】
レシート識別情報の印刷設定がなされていない場合（ステップＳ４のＮｏ）は、２次元コードによる会計情報の印刷が行われる（ステップＳ６）。
【００２８】
一方、２次元コードに加え、レシート識別情報の印刷設定がなされている場合（ステップＳ４のＹｅｓ）は、レシート識別情報の印刷（ステップＳ５）と２次元コードによる会計情報の印刷が行われる（ステップＳ６）。
【００２９】
なお、レシート識別情報はその印刷内容等を予め設定できるようにしてもよい。例えば、購入場所（店名等）のみの印刷とする、購入日時のみの印刷とする、日時を元号や他の記述形式（２００７年１０月２０日など）とする、などとしてもよい。
【００３０】
図３および図４は、２次元コード印刷モードによる会計情報の印刷出力例を示す模式図である。
図３は２次元コードによる会計情報のみを印刷する設定の印刷例であり、２次元コードのみが印刷され、発行するレシートを短くできるので、ロール紙の使用量を削減できる。また、レシートにテキストによる会計情報が印刷されないので、個人のプライバシーを保護することもできる。
【００３１】
あるいは、図４に示すように、会計情報の２次元コードによる印刷に加えて、２次元コードが印刷されたレシートを目視で識別するために購入場所（店名等）や購入日時などの簡単なレシート識別情報をテキスト印刷してもよい。
これにより、個人のプライバシーを保護しつつも、購入場所や購入日時等により目視でレシートを識別でき、会計情報のテキストが一切印刷されず、発行するレシートをできるだけ短くできるので、ロール紙の使用量を削減できる。
【００３２】
一方、印刷モードが通常モードに設定されている場合（ステップＳ２のＮｏ）、通常のテキスト（文字や数字）での会計情報の印刷出力が行われる（ステップＳ７）。
【００３３】
図５は、通常モードによる会計情報の印刷出力例を示す模式図である。顧客が２次元コード印刷を希望しない（必要としない）場合は、図５に示すように、会計情報をテキストにて印刷する。この場合も従来の会計情報をテキストと２次元コードの両方を印刷するレシート（図６参照）に比べて、（この場合は顧客が２次元コードの印刷を希望しないので）不要な２次元コードの分だけ発行するレシートを短くできるので、ロール紙の使用量を削減できる。
【００３４】
最後に、いずれかの印刷モードでの印刷の後、印刷部７は適切にカットした用紙を排出する（ステップＳ８）。
【００３５】
なお、会計情報以外の情報（例えば、販売店のロゴマーク・住所・電話番号、宣伝・公告、レシート番号など）を適宜レシートに印刷してもよいことは、小売店舗等における従来のレシート発行と同様である。
【００３６】
なお、本発明のＰＯＳ端末は、必ずしも一つの筐体で実現された装置でなくてもよく、例えば、印刷装置と、該印刷装置と通信可能に接続されたホストコンピュータ等と、によって構成されたシステムなどであってもよい。
【図面の簡単な説明】
【００３７】
【図１】本発明の実施の形態におけるＰＯＳ端末の構成を示すブロック図である。
【図２】本発明の実施の形態におけるＰＯＳ端末のレシート発行手順を示すフローチャートである。
【図３】２次元コードによる会計情報のみを印刷する例を示す模式図である。
【図４】会計情報の２次元コードによる印刷に加えて、レシート識別情報をテキスト印刷する例を示す模式図である。
【図５】通常モードによる会計情報の印刷出力例を示す模式図である。
【図６】２次元コードが付加されたレシートの従来の印刷例を示す模式図である。
【符号の説明】
【００３８】
１：ＰＯＳ端末、２：制御部、３：入力部、４：表示部、５：印刷部、２１：印刷モード判定部、２２：識別情報印刷設定部、３１：印刷モード選択キー、３２：識別情報印刷キー
【図１】
2009169570.tif 000003
【図２】
2009169570.tif 000004
【図３】
2009169570.tif 000005
【図４】
2009169570.tif 000006
【図５】
2009169570.tif 000007
【図６】
2009169570.tif 000008